(57)【要約】【課題】  雨水沈砂池から砂を効率よく排出できるようにする。【解決手段】  雨水沈砂池等の沈砂池に沈殿した砂をジェットポンプ又は揚砂ポンプ等の吸引手段で水に同伴させて吸引して所定の場所に移送する揚砂装置において、前記吸引手段の吸引口の近くに沈殿した砂に圧力水を噴射して撹乱する撹乱手段を設ける。【選択図】      図１
2008086997.tif 000002
【特許請求の範囲】
【請求項１】
雨水沈砂池等の沈砂池に沈殿した砂をジェットポンプ又は揚砂ポンプ等の吸引手段で水に同伴させて吸引して所定の場所に移送する揚砂装置において、
前記吸引手段の吸引口の近くに沈殿した砂に圧力水を噴射して撹乱する撹乱手段を設けたことを特徴とする揚砂装置。
【請求項２】
撹乱手段は、吸引手段の吸引開始前から所定時間、駆動されるものであることを特徴とする請求項１記載の揚砂装置。
【発明の詳細な説明】
【技術分野】
【０００１】
本発明は、下水処理施設の雨水沈砂池等に設けられる揚砂装置に関する。
【背景技術】
【０００２】
従来、下水処理施設における雨水ポンプ場の雨水沈砂池には、雨水沈砂池の底面に沈殿した砂を所定の場所まで移送するためのジェットポンプからなる揚砂装置が設けられている。このジェットポンプを用いる揚砂装置におけるジェットポンプの吸引口は雨水沈砂池の底面の最も低い位置に設けられた集砂ピットの上方に位置するように設けられる。したがって、ジェットポンプが駆動されると、集砂ピット内の砂は吸引口から吸引され、所定の移送場所まで配設された配管を介して移送させられる。
【０００３】
また、上記ジェットポンプを用いた揚砂装置は、高圧水を駆動源とするために動力費がかさむので、動力費の安価な渦巻羽根式の揚砂ポンプを用いた揚砂装置も存在する。
【０００４】
この揚砂ポンプを用いる揚砂装置においては、揚砂ポンプの吸引口が雨水沈砂池の底の最も低い位置に設けられた集砂ピットの上方に位置して設けられる。したがって、揚砂ポンプが駆動されると、集砂ピット内の砂は吸引口から吸引され、所定の移送場所まで配設された配管を介して移送させられる。
【特許文献１】特になし。
【発明の開示】
【発明が解決しようとする課題】
【０００５】
しかしながら、上記従来の揚砂装置において、集砂ピット内に砂が存在するにもかかわらず、ジェットポンプ又は揚砂ポンプが駆動を開始しても、砂を十分に吸引することができず、したがって、砂の移動を十分に行うことができないという不都合があった。
【０００６】
その原因としては、ジェットポンプ又は揚砂ポンプが駆動を開始したときに、集砂ピットに沈殿堆積している砂によってその吸引口がふさがれて、水も沈砂も吸引できないためである。
【０００７】
そこで、本発明は、上記欠点を解決するためになされたものであって、その目的は、集砂ピット内の砂を効果的に吸引できるようにした揚砂装置を提供することにある。
【課題を解決するための手段】
【０００８】
本発明に係る揚砂装置は、上記目的を達成するために、雨水沈砂池等の沈砂池に沈殿した砂をジェットポンプ又は揚砂ポンプ等の吸引手段で水に同伴させて吸引して所定の場所に移送する揚砂装置において、前記吸引手段の吸引口の近くに沈殿した砂に圧力水を噴射して撹乱する撹乱手段を設けたことを特徴としている。
また、前記撹乱手段は、前記吸引手段の吸引開始前から所定時間、駆動されるものであることを特徴としている。
【発明の効果】
【０００９】
本発明に係る揚砂装置は、吸引手段の吸引口の近くに沈殿した砂に圧力水を噴射して撹乱する撹乱手段を設けたので、集砂ピット内の砂が撹乱され、砂を水に同伴させて効率よく排出することができる。
また、撹乱手段を吸引手段の吸引開始前から所定時間、駆動されるものとしたときは、運転コストを低減させることができる。
【発明を実施するための最良の形態】
【００１０】
以下、本発明の実施の形態を図面に基づいて説明する。図１は、本発明の揚砂装置を下水処理施設の雨水沈砂池（以下、「沈砂池」という）に適用したもので、同図（ａ）はその断面図、同図（ｂ）は同図（ａ）の一部平面図、図２は、図１（ｂ）のイ−イ線断面図であり、図１（ａ）は、図１（ｂ）のローロ線断面図に相当している。
【００１１】
沈砂池１は、周知の沈砂池と同様に、沈砂池１の一方から雨水が流入し、砂を沈降分離した雨水は沈砂池１の他方から流出されるように構成されている。図１（ｂ）の平面図を用いてさらに説明すると、図１（ｂ）の上方側から雨水が流入したとすると、砂を沈降分離した雨水は、図１（ｂ）の下方側から流出することとなる。
【００１２】
沈砂池１の底面１ａの形態は、底面１ａのほぼ中央位置に設けられたその底面１ａより一段と低い偏平な底を有する集砂ピット２に、底面１ａ上の砂（図示せず）を寄せ集めることができるように形成されている。すなわち、その底面１ａは、図１（ｂ）のロ−ロ線断面の同図（ａ）に示されるように、雨水の流入方向の中央線が最も低くなるように傾斜が付されており、また、図１（ｂ）のイーイ線断面の図２に示されるように、集砂ピット２の部分が最も低くなるように傾斜が付されている。したがって、底面１ａ上の砂は、その底面１ａ上に図示しないノズルから水を流出させると、図１（ｂ）に矢印で示されるように、集砂ピット２に寄せ集められてくる。
【００１３】
揚砂ポンプ１０は、渦巻羽根を有する周知の水中ポンプからなり、下水処理施設で水中汚泥ポンプとして使用されていたものを用いることができる。この揚砂ポンプ１０は、吸引口１１を下向きに、すなわち、吸引口１１が集砂ピット２の底面に向けて、かつ、その底面から所定間隔を保って、吐出管１２及びサポート１３を介して沈砂池１に設けられている。
【００１４】
ノズル２０ａ，２０ｂは、揚砂ポンプ１０の吸引口１１と集砂ピット２の底２ａとの間に、吸引口１１を中心にしてほぼ対向するように設けられていて、図示しないポンプからの圧力水が供給管２１ａ，２１ｂを介してそれぞれ供給されるように構成されている。したがって、これらノズル２０ａ，２０ｂから圧力水が噴出されると、揚砂ポンプ１０の吸引口１１付近の砂を撹乱することができる。
【００１５】
次に、図３のフローチャートを用いて揚砂ポンプ１０及びノズル２０ａ，２０ｂの制御動作について説明する。なお、図示しないが、揚砂ポンプ１０、ノズル２０ａ，２０ｂへ圧力水を供給する図示しないポンプ、及びそれらノズル２０ａ，２０ｂに圧力水を供給する供給管２１ａ，２１ｂにそれぞれ設けられている弁等は、沈砂池１を統括的に制御するプログラマブルコントローラを中心に形成される図示しない制御器によって駆動制御されるように構成されている。
【００１６】
今、沈砂池１への雨水の流入が停止され、沈砂池１の底面に沈降堆積した砂を排出する工程が到来したとすると（ステップ１００肯定。以下、ステップを「Ｓ」とする。）、供給管２１ａ，２１ｂに設けられている図示しない弁がそれぞれ開かれてノズル２０ａ，２０ｂから圧力水が噴出されるとともに、図示しない第１のタイマＴ1 のカウントが開始される（Ｓ１０２）。第１のタイマＴ1 のタイムアップ後、揚砂ポンプ１０が駆動されるとともに、第２のタイマＴ2 のカウントが開始される（Ｓ１０４肯定、Ｓ１０６）。
【００１７】
ノズル２０ａ，２０ｂから圧力水が噴出されると、揚砂ポンプ１０の吸引口１１付近に堆積していた砂が撹乱され、その撹乱は、集砂ピット２全体に徐々に広がる。したがって、吸引口１１からは、水に同伴されて砂が効率よく吸引されて吐出管１２を介して所定の場所へ移送される。
【００１８】
第２のタイマＴ2 のタイムアップ後、例えば、第２のタイマＴ2 が開始してから１分後にノズル２０ａ，２０ｂの弁がそれぞれ閉じられる（Ｓ１０８肯定、Ｓ１１０）。ノズル２０ａ，２０ｂが閉じられてノズル２０ａ，２０ｂからの噴出水がなくなっても、揚砂ポンプ１０の駆動により吸引口１１の付近は流動化しているので、砂は、吸引される水に同伴されて効果的に排出される。
【００１９】
このように、ノズル２０ａ，２０ｂからの圧力水の噴射は、揚砂ポンプ１０の吸引口１１付近の堆積した砂を破壊して撹乱するだけで足りるので、揚砂ポンプ１０の運転の開始前からの短い時間で足りる。したがって、揚砂ポンプ１０の運転中、常に継続する必要がなく、運転コストを低下させることができる。
【００２０】
集砂ピット２からの砂の排出が終了すると（Ｓ１０８肯定）、すなわち、集砂ピット２内に設けられている図示しない水位計が所定の下限の水位を検出すると、揚砂ポンプ１０は駆動停止される（Ｓ１１０）。なお、揚砂ポンプ１０は、駆動を開始してから（Ｓ１０６）、この駆動停止まで（Ｓ１１０）の間、水位計の上限で駆動を再開し、その水位計の下限で駆動を停止するように制御される。
【００２１】
上述の例では、吸引手段として揚砂ポンプ１０を示したが、ジェットポンプであってもよいことはもちろんである。また、ノズルは２本としたが、１本又は３本以上であってもよい。
【００２２】
また、上述の例では、ノズル２０ａ，２０ｂを２個のタイマＴ1 ，Ｔ2 を設けて揚砂ポンプ１０の駆動前後に亘って駆動させたが、タイマを１個とし、揚砂ポンプ１０の駆動開始前の所定時間、駆動させるようにしてもよい。しかし、上述のように、揚砂ポンプ１０の駆動前後に亘ってノズル２０ａ，２０ｂを駆動させるようにすると、揚砂ポンプ１０による流動化とノズル２０ａ，２０ｂによる流動化との相乗効果により、より撹乱作用を高めることができる。
【００２３】
では、次に、雨水沈砂池及びポンプ井の概略断面図である図４と雨水沈砂池の平面図である図５を用いてさらに詳述する。沈砂池１に連設するポンプ井３０には、ポンプ３１と、それとは別に滞留水ポンプ３２が設けられており、この滞留水ポンプ３２により汲み上げられた雨水等の下水は、集砂ピット２に向けて沈砂池１の底面１ａに堆積した砂を流出させるように圧力水を噴出させる集砂ノズル４０，４１，４２に供給される。
【００２４】
以下、集砂及び揚砂の手順につき詳述する。
【００２５】
沈砂池１への下水の流入をゲート５０で停止する。
【００２６】
次に、沈砂池１の滞留水を滞留水ポンプ３２によって、不図示の汚水沈殿池や流入渠等に排水する。
【００２７】
しかし、ここでの排水には一定の限界がある。なぜなら、沈砂池１は連設部６０を介してポンプ井３０に連設されているため、その連設部６０よりも下方の沈砂池に滞留した水はポンプ３２では排水されない。すなわち、図４を用いて説明すれば、連設部６０の頂レベルであるレベルＬまでポンプ３２で排水した後は、沈砂池１のＬレベル以下の滞留水は排水されない。この状態、すなわち水中下においては、揚砂ポンプによる揚水の移送量が増加し不経済であるばかりか、水圧に打ち勝って沈砂を移動させて集砂しなければならず、ノズルからの圧力水を高圧で噴出させる必要が生じる。高圧集砂は、高圧力を生むためにランニングコストがかかるばかりか、構成機器も多くなる。また、高圧水による下水ミストの発生も衛生的にみて大きな問題であり、集砂効率も水中下に沈砂の一部が舞い上がって浮遊し、その後に再度沈降して堆積するため低下する欠点がある。そこで、これらの問題点を解決するため、ドライ（排水）状態における集砂及び揚砂、さらにはノズルからの圧力水を低圧で噴出させる集砂が望まれる。
【００２８】
そこでまず、ポンプ３２を停止して、上述のごとく、本発明の揚砂ポンプ１０の吸引口１１の近くに沈殿した砂に圧力水をノズル２０ａ，２０ｂから噴射して一定時間撹乱させた後、揚砂ポンプ１０を稼動させレベルＬ以下の滞留水を排水する。このときのノズル２０ａ，２０ｂには滞留水ポンプ３２によって汲み上げられた水を使用することが好ましい。そして、集砂ピット２内の所定の水位まで排水されたなら揚砂ポンプ１０の稼動を停止させる。ここで、所定の水位とは、沈砂池１内のドライ（排水）状態を実現する水位であって、理想的には吸引口１１のレベルである。しかし、揚砂ポンプ１０の高負荷や高圧での集砂が必要とならない範囲で、若干の雨水の滞留は許され、沈砂池１の流入−流出方向に集砂ピット２を介して延在する中央トラフ１ｂの底部レベルを用いてもよい。例えば、集砂ピット２への開口端部の底部レベルＸとしてもよい。
【００２９】
次に、中央トラフ１ｂに堆積した沈砂を集砂ピット２内へ導き、中央トラフ１ｂを洗浄するために中央トラフ１ｂの延在方向に圧力流体を噴出される集砂ノズル４０でスプレーする。中央トラフ１ｂは、集砂ピット２につながる最終的かつ主なトラフであることから、雨水受入れ時の沈砂による埋設を防ぐためである。
【００３０】
そして、以降は、中央トラフ１ｂに連通し、かつ直交する複数の小トラフ１ｃ間に設けられた中央トラフ１ｂの延在方向に直交する方向に圧力流体を噴出させる集砂ノズル４１，４１…と、前記集砂ノズル４０，４０を交互に噴出させることによって、小トラフ１ｃ、中央トラフ１ｂを介して集砂ピット２への集砂が行われる。なお、沈砂池はその大きさによっては適宜複数個のエリアに分割され、そのエリアに対応した複数個の集砂ノズル４１，４１…をノズル群としてまとめて、このノズル群単位で圧力水の噴出が集砂ピット２に近い方から順に行われる。
【００３１】
最後に、集砂ノズル４２，４２によって集砂ピット２付近の沈砂池の池幅方向に堆積した砂を集砂ピット２に集砂し、揚砂ポンプ１０で集砂水とともに不図示の沈砂分離機に送られ揚砂が完了する。
【００３２】
以上のごとく、本実施の形態では、下水処理施設のポンプ井に連設部を介して連設された雨水沈砂池等の沈砂池の底面に、その連設部よりも下方に集砂ピットを設けるとともに、その集砂ピットに向けてその底面に堆積した砂を流出させるように圧力流体を噴出させるノズルを設け、その集砂ピットに集められた砂をジェットポンプ、揚砂ポンプ等からなる吸引手段で水に同伴させて吸引して所定の場所に移送する揚砂装置であって、前記ノズルの駆動開始前に前記揚砂ポンプを駆動させて前記連設部以下の雨水等の滞留水を排水させる駆動制御手段を設けたものである。そして、前記吸引手段の吸引口近くに砂に圧力水を噴射して撹乱する撹乱手段を設けたものである。
【図面の簡単な説明】
【００３３】
【図１】（ａ）は、本発明の一実施の形態に係る揚砂装置を沈砂池に適用したときの断面図、（ｂ）はその平面図である。
【図２】図１（ｂ）のイ−イ線断面図である。
【図３】制御動作を示すフローチャートである。
【図４】沈砂池全体の断面図である。
【図５】図４の左側部分の平面図である。
【符号の説明】
【００３４】
１  雨水沈砂池（沈砂池）
２  集砂ピット
２ａ  底
１０  揚砂ポンプ
１１  吸引口
１２  吐出管
２０ａ，２０ｂ  ノズル
２１ａ，２１ｂ  供給管
【図１】
2008086997.tif 000003
【図２】
2008086997.tif 000004
【図３】
2008086997.tif 000005
【図４】
2008086997.tif 000006
【図５】
2008086997.tif 000007